(57)【要約】【課題】受取所に配達された物品の利用者による受け取り忘れを防止可能とする。【解決手段】物品配達管理システム１００は、受取所３０への物品の配達依頼を受け付ける配達管理サーバ１０と、利用者が携帯する移動通信端末２０と、受取所３０又はその近傍に設置され、受取所３０に関連付けられ、固有の識別情報を無線発信可能な無線情報発信機器４０と、を備える。配達管理サーバ１０は、物品の配達が完了した場合に、受取所３０に関連付けられた無線情報発信機器４０の識別情報を移動通信端末２０に通知する。移動通信端末２０は、無線情報発信機器４０から発信された識別情報を受信した場合に、無線情報発信機器４０から受信した識別情報と、配達管理サーバ１０から通知された識別情報と、を比較し、両者が一致した場合に、受取所３０に受け取り可能な物品があることを表示部２３に表示させる。【選択図】図１
2018025896.tif 000002
【特許請求の範囲】
【請求項１】
受取所への物品の配達依頼を受け付ける配達管理サーバと、
前記受取所又はその近傍に設置され、当該受取所に関連付けられ、固有の識別情報を無線発信可能な無線情報発信機器と、
利用者が携帯する移動通信端末と、
を備える物品配達管理システムであって、
前記配達管理サーバは、前記受取所への物品の配達完了が通知された場合に、当該受取所に関連付けられた無線情報発信機器の識別情報を前記移動通信端末に通知する通知手段を備え、
前記移動通信端末は、前記無線情報発信機器から発信された識別情報を受信した場合に、当該無線情報発信機器から受信した識別情報と、前記配達管理サーバから通知された識別情報と、を比較し、両者が一致した場合に、前記受取所に受け取り可能な物品があることを表示部に表示させる制御手段を備えることを特徴とする物品配達管理システム。
【請求項２】
前記配達管理サーバの通知手段は、前記受取所への物品の配達完了が通知された場合に、当該受取所に関連付けられた無線情報発信機器の識別情報と対応付けて、前記受取所へ配達された物品を示す情報を前記移動通信端末に通知し、
前記移動通信端末の制御手段は、前記無線情報発信機器から受信した識別情報と、前記配達管理サーバから通知された識別情報と、が一致した場合に、前記受取所へ配達された物品を示す情報を前記表示部に表示させることを特徴とする請求項１に記載の物品配達管理システム。
【請求項３】
前記移動通信端末の制御手段は、前記無線情報発信機器から受信した識別情報と、前記配達管理サーバから通知された識別情報と、が一致した場合に、前記受取所へ物品の配達が完了してからの経過日数を前記表示部に表示させることを特徴とする請求項１又は２に記載の物品配達管理システム。
【請求項４】
前記移動通信端末の制御手段は、前記無線情報発信機器から受信した識別情報と、前記配達管理サーバから通知された識別情報と、が一致した場合に、前記受取所の設置位置を示す情報を前記表示部に表示させることを特徴とする請求項１から３のいずれか一項に記載の物品配達管理システム。
【請求項５】
前記移動通信端末は、前記無線情報発信機器の識別情報のうち予め定められた通知抑制識別情報を記憶する記憶手段を備え、
前記移動通信端末の制御手段は、前記無線情報発信機器から受信した識別情報と、前記配達管理サーバから通知された識別情報と、が一致した場合であっても、前記無線情報発信機器から受信した識別情報と、前記通知抑制識別情報と、が一致した場合には、前記受取所に受け取り可能な物品があることの前記表示部への表示を抑制し、前記通知抑制識別情報と一致する識別情報の受信が終了した後に、前記受取所に受け取り可能な物品があることを前記表示部に表示させることを特徴とする請求項１から４のいずれか一項に記載の物品配達管理システム。
【発明の詳細な説明】
【技術分野】
【０００１】
本発明は、通信販売で購入した商品や宅配物を、駅等に設置されたロッカー等の受取所で受け取るための物品配達管理システムに関する。
【背景技術】
【０００２】
従来、通信販売で購入した商品や宅配物は、自宅等の指定された宛先に配達される。受取人が留守の場合には、マンション等に設置されたロッカーに配達物を収納し、ロッカーを開錠するためのパスワードを受取人に知らせる方法が採られている。
このようなトランクルームシステムにおいて、配達業者に対して代金を立て替える手段を備え、代金引換や送料着払いの配達物を受け取り可能なものも提案されている（特許文献１参照）。
【０００３】
また、最近では、利用者の利便性を考慮して、自宅の近くや通勤途中の駅等に設置されたロッカー等の受取所で物品を受け取るサービスが提供されている。
【先行技術文献】
【特許文献】
【０００４】
【特許文献１】特開２００２−２４７３３号公報
【発明の概要】
【発明が解決しようとする課題】
【０００５】
しかし、受取所に物品が配達された後、利用者が受取所で物品を受け取ることを忘れていると、配達済みの物品が受取所に留め置かれる期間が長期化するという問題があった。物品の受け取り忘れは、ロッカーの空き容量を圧迫し、サービスレベルの低下や売り上げの減少を招くため、対策が必要となる。
【０００６】
本発明は、上記の従来技術における問題に鑑みてなされたものであって、受取所に配達された物品の利用者による受け取り忘れを防止することが可能な物品配達管理システムを提供することを課題とする。
【課題を解決するための手段】
【０００７】
上記課題を解決するため、本発明は、
受取所への物品の配達依頼を受け付ける配達管理サーバと、
前記受取所又はその近傍に設置され、当該受取所に関連付けられ、固有の識別情報を無線発信可能な無線情報発信機器と、
利用者が携帯する移動通信端末と、
を備える物品配達管理システムであって、
前記配達管理サーバは、前記受取所への物品の配達完了が通知された場合に、当該受取所に関連付けられた無線情報発信機器の識別情報を前記移動通信端末に通知する通知手段を備え、
前記移動通信端末は、前記無線情報発信機器から発信された識別情報を受信した場合に、当該無線情報発信機器から受信した識別情報と、前記配達管理サーバから通知された識別情報と、を比較し、両者が一致した場合に、前記受取所に受け取り可能な物品があることを表示部に表示させる制御手段を備える。
このような構成によれば、当該物品配達管理システムを利用し、移動通信端末を携帯する利用者が、受取所又は該受取所に関連付けられた無線情報発信機器に近付いたタイミングで、受取所に受け取り可能な物品があることを移動通信端末の表示部に表示させるので、受取所に配達された物品の利用者による受け取り忘れを防止することができる。
【０００８】
また、望ましくは、前記配達管理サーバの通知手段は、前記受取所への物品の配達完了が通知された場合に、当該受取所に関連付けられた無線情報発信機器の識別情報と対応付けて、前記受取所へ配達された物品を示す情報を前記移動通信端末に通知し、
前記移動通信端末の制御手段は、前記無線情報発信機器から受信した識別情報と、前記配達管理サーバから通知された識別情報と、が一致した場合に、前記受取所へ配達された物品を示す情報を前記表示部に表示させる。
このような構成によれば、受取所へ配達された物品を示す情報を移動通信端末の表示部に表示させるので、同一利用者の配達依頼が複数ある場合であっても、利用者は受取所へ配達されている物品を容易に把握することができる。
【０００９】
また、望ましくは、前記移動通信端末の制御手段は、前記無線情報発信機器から受信した識別情報と、前記配達管理サーバから通知された識別情報と、が一致した場合に、前記受取所へ物品の配達が完了してからの経過日数を前記表示部に表示させる。
このような構成によれば、受取所へ物品の配達が完了してからの経過日数を移動通信端末の表示部に表示させるので、利用者に物品の受け取りを促すことができる。
【００１０】
また、望ましくは、前記移動通信端末の制御手段は、前記無線情報発信機器から受信した識別情報と、前記配達管理サーバから通知された識別情報と、が一致した場合に、前記受取所の設置位置を示す情報を前記表示部に表示させる。
このような構成によれば、受取所の設置位置を示す情報（例えば、地図情報）を移動通信端末の表示部に表示させるので、受取所を容易に見つけ出すことができる。
【００１１】
また、望ましくは、前記移動通信端末は、前記無線情報発信機器の識別情報のうち予め定められた通知抑制識別情報を記憶する記憶手段を備え、
前記移動通信端末の制御手段は、前記無線情報発信機器から受信した識別情報と、前記配達管理サーバから通知された識別情報と、が一致した場合であっても、前記無線情報発信機器から受信した識別情報と、前記通知抑制識別情報と、が一致した場合には、前記受取所に受け取り可能な物品があることの前記表示部への表示を抑制し、前記通知抑制識別情報と一致する識別情報の受信が終了した後に、前記受取所に受け取り可能な物品があることを前記表示部に表示させる。
このような構成によれば、通知抑制識別情報を予め定めておくことで、移動通信端末を携帯する利用者が、通知抑制識別情報に対応する無線情報発信機器に近い状態では、移動通信端末の表示部への表示を抑制するので、利用者に情報を提供可能なエリアを制限することができる。
【発明の効果】
【００１２】
本発明によれば、移動通信端末を携帯する利用者が、受取所又は該受取所に関連付けられた無線情報発信機器に近付いたタイミングで、受取所に受け取り可能な物品があることを移動通信端末の表示部に表示させるので、受取所に配達された物品の利用者による受け取り忘れを防止することができる。
【図面の簡単な説明】
【００１３】
【図１】本発明の実施形態における物品配達管理システムのシステム構成図である。
【図２】受取所情報テーブルの例である。
【図３】配達管理テーブルの例である。
【図４】通知内容管理テーブルの例である。
【図５】配達管理サーバにより実行される処理を示すフローチャートである。
【図６】移動通信端末により実行される処理を示すフローチャートである。
【図７】移動通信端末により実行される処理を示すフローチャートである。
【図８】移動通信端末の表示部に表示される通知画面の例である。
【発明を実施するための形態】
【００１４】
以下、図面を参照しつつ、本発明に係る物品配達管理システムの実施形態について説明する。なお、本発明は、図示例に限定されるものではない。
【００１５】
〔物品配達管理システムの構成〕
図１に、本実施形態における物品配達管理システム１００のシステム構成を示す。
図１に示すように、物品配達管理システム１００は、物品の配達依頼を受け付ける配達管理サーバ１０と、利用者が携帯する移動通信端末２０と、物品の配達先である受取所３０又はその近傍に設置され、受取所３０に関連付けられた無線情報発信機器４０と、を備える。配達管理サーバ１０と移動通信端末２０とは、インターネット等の通信ネットワークＮを介してデータ通信可能に接続される。移動通信端末２０、無線情報発信機器４０の台数、受取所３０の設置数については、限定されない。
【００１６】
配達管理サーバ１０は、通信販売で注文された商品や宅配物の配達業務を管理する。例えば、配達管理サーバ１０は、利用者が操作する移動通信端末２０又はＰＣ（Personal Computer）等から通信販売における商品の購入及び配達依頼を受け付けたり、依頼者から指定された受取人への物品の配達依頼を受け付けたりする。配達管理サーバ１０は、ＰＣ、ＷＳ（Work Station）等の情報機器である。
【００１７】
移動通信端末２０は、携帯電話機、スマートフォン、タブレット端末等、物品の受取人である利用者が常時携帯可能な大きさや形状を有する情報機器である。
【００１８】
受取所３０は、駅等、利用者が立ち寄りやすい場所に設けられている。配達員５０は、配達の対象となる物品を受取所３０に配達する。利用者は、受取所３０に配達された物品を受け取る。
【００１９】
無線情報発信機器４０は、常時、当該無線情報発信機器４０に固有の識別情報を無線発信する。この無線発信手段としては、Bluetooth（登録商標）、Wi-Fi、光通信、超音波等が用いられる。無線情報発信機器４０から発信される無線情報を受信可能な範囲は限られているため（例えば、数十ｍ〜百ｍ等）、移動通信端末２０は、無線情報発信機器４０から所定の距離以下に近付いた場合に、無線情報発信機器４０から発信された識別情報を受信可能となる。
【００２０】
〔配達管理サーバの構成〕
次に、配達管理サーバ１０の構成について、詳細に説明する。
配達管理サーバ１０は、制御部１１、操作部１２、表示部１３、記憶部１４、通信部１５等を備えて構成されており、各部はバスにより接続されている。
【００２１】
制御部１１は、ＣＰＵ（Central Processing Unit）、ＲＯＭ（Read Only Memory）、ＲＡＭ（Random Access Memory）等から構成され、配達管理サーバ１０の各部の処理動作を統括的に制御する。具体的には、ＣＰＵは、ＲＯＭや記憶部１４に記憶されている各種処理プログラムを読み出してＲＡＭに展開し、当該プログラムとの協働により各種処理を行う。
【００２２】
操作部１２は、ユーザからの操作入力を受け付け、当該操作に応じた操作信号を制御部１１に出力する。例えば、操作部１２は、カーソルキー、文字入力キー及び各種機能キー等を備えたキーボードと、マウス等のポインティングデバイスを備えて構成され、キーボードに対するキー操作やマウス操作により入力された操作信号を制御部１１に出力する。
【００２３】
表示部１３は、ＬＣＤ（Liquid Crystal Display）等によって構成されており、制御部１１から入力される表示信号の指示に従って、各種画面を表示する。
【００２４】
記憶部１４は、ＨＤＤ（Hard Disk Drive）や不揮発性の半導体メモリ等により構成され、各種処理プログラム、当該プログラムの実行に必要なパラメーターやファイル等を記憶している。
記憶部１４には、受取所情報テーブルＴ１１（図２参照）、配達管理テーブルＴ１２（図３参照）、通知抑制識別情報リストが記憶されている。
【００２５】
図２に、受取所情報テーブルＴ１１の例を示す。
受取所情報テーブルＴ１１には、各受取所３０に対して、当該受取所３０の位置情報と、当該受取所３０に関連付けられた一又は複数の無線情報発信機器４０の識別情報と、が対応付けられている。
受取所３０の位置情報は、受取所３０の設置位置を示す情報である。例えば、受取所３０の位置情報は、緯度及び経度により示される情報であってもよいし、受取所３０の周辺地図等であってもよいし、受取所３０の設置位置を文章で説明した情報であってもよい。
また、各受取所３０には、当該受取所３０又はその近傍に設置された無線情報発信機器４０が予め関連付けられている。ここで、受取所３０の「近傍」とは、利用者が受取所３０に立ち寄って物品を受け取るにあたって、利用者に注意を喚起するのに適した範囲をいう。例えば、或る受取所３０には、当該受取所３０が設けられた駅、隣接駅、近隣駅にそれぞれ設置された無線情報発信機器４０が関連付けられている。
【００２６】
図３に、配達管理テーブルＴ１２の例を示す。
配達管理テーブルＴ１２には、配達依頼毎に、依頼者、通知先の移動通信端末、物品、受取所、ロッカー番号、配達完了日時等が対応付けられて格納される。
「依頼者」フィールドには、配達を依頼した者を示す情報が格納される。
「通知先の移動通信端末」フィールドには、利用者（受取人）が携帯する移動通信端末２０を示す情報が格納される。
「物品」フィールドには、配達の対象となる物品を示す情報が格納される。
「受取所」フィールドには、依頼者又は受取人が指定した受取所３０を示す情報が格納される。
「ロッカー番号」フィールドには、指定された受取所３０において、物品が収納されたロッカーの番号を示す情報が格納される。
「配達完了日時」フィールドには、指定された受取所３０へ物品の配達が完了した日時を示す情報が格納される。
【００２７】
通知抑制識別情報リストには、無線情報発信機器４０の識別情報のうち予め定められた一又は複数の通知抑制識別情報が含まれる。通知抑制識別情報は、例えば、駅のプラットホーム等、利用者が移動通信端末２０を操作しながら歩行すると危険と考えられる場所に設置された無線情報発信機器４０に対応する識別情報である。通知抑制識別情報リストは、制御部１１により、通信部１５を介して各移動通信端末２０に送信される。
【００２８】
通信部１５は、通信インターフェース等により構成され、所定の通信プロトコルを用いて、通信ネットワークＮを介して外部機器との間でデータの送受信を行う。
【００２９】
制御部１１は、受取所３０への物品の配達完了が通知された場合に、当該受取所３０に関連付けられた無線情報発信機器４０の識別情報を、通信部１５を介して移動通信端末２０に通知する。すなわち、制御部１１は、通知手段として機能する。
【００３０】
また、制御部１１は、受取所３０への物品の配達完了が通知された場合に、当該受取所３０に関連付けられた無線情報発信機器４０の識別情報と対応付けて、受取所３０へ配達された物品を示す情報を、通信部１５を介して移動通信端末２０に通知する。
【００３１】
〔移動通信端末の構成〕
次に、移動通信端末２０の構成について、詳細に説明する。
移動通信端末２０は、制御部２１、操作部２２、表示部２３、記憶部２４、通信部２５、計時部２６等を備えて構成されており、各部はバスにより接続されている。
【００３２】
制御部２１は、ＣＰＵ、ＲＯＭ、ＲＡＭ等から構成され、移動通信端末２０の各部の処理動作を統括的に制御する。具体的には、ＣＰＵは、ＲＯＭや記憶部２４に記憶されている各種処理プログラムを読み出してＲＡＭに展開し、当該プログラムとの協働により各種処理を行う。
【００３３】
操作部２２は、ユーザからの操作入力を受け付け、当該操作に応じた操作信号を制御部２１に出力する。操作部２２は、表示部２３に積層されたタッチパネルにより構成され、ユーザの指等によるタッチ操作の位置に応じた操作信号を制御部２１に出力することとしてもよい。
【００３４】
表示部２３は、ＬＣＤ等によって構成されており、制御部２１から入力される表示信号の指示に従って、各種画面を表示する。
【００３５】
記憶部２４は、不揮発性の半導体メモリ等により構成され、各種処理プログラム、当該プログラムの実行に必要なパラメーターやファイル等を記憶している。
記憶部２４には、通知内容管理テーブルＴ２１（図４参照）、通知抑制識別情報リストが記憶されている。
【００３６】
図４に、通知内容管理テーブルＴ２１の例を示す。
通知内容管理テーブルＴ２１には、配達依頼毎に、物品、受取所、位置情報、ロッカー番号、配達完了日時、無線情報発信機器の識別情報等が対応付けられて格納される。
「物品」フィールドには、配達が完了した物品を示す情報が格納される。
「受取所」フィールドには、物品が配達された受取所３０を示す情報が格納される。
「位置情報」フィールドには、物品が配達された受取所３０の位置情報が格納される。
「ロッカー番号」フィールドには、受取所３０において、物品が収納されたロッカーの番号を示す情報が格納される。
「配達完了日時」フィールドには、受取所３０へ物品の配達が完了した日時を示す情報が格納される。
「無線情報発信機器の識別情報」フィールドには、物品が配達された受取所３０に関連付けられた一又は複数の無線情報発信機器４０の識別情報が格納される。
【００３７】
通知抑制識別情報リストは、配達管理サーバ１０から各移動通信端末２０に送信されたものであり、無線情報発信機器４０の識別情報のうち予め定められた一又は複数の通知抑制識別情報を含む。制御部２１は、通信部２５を介して配達管理サーバ１０から通知抑制識別情報リストを受信すると、当該受信した通知抑制識別情報リストを記憶部２４に記憶させる。
【００３８】
通信部２５は、アンテナや通信回路を有し、制御部２１による制御の下で、電気通信事業者等の電話回線網や携帯電話通信網等を介して外部機器との間で無線通信を行う。具体的には、通信部２５は、通信ネットワークＮを介して配達管理サーバ１０との間でデータ通信を行う。また、通信部２５は、無線情報発信機器４０に対応する無線受信手段を有し、無線情報発信機器４０から発信される機器固有の識別情報を受信する。
【００３９】
計時部２６は、現在日時を計数して保持するカウンタである。
【００４０】
制御部２１は、無線情報発信機器４０から発信された識別情報を、通信部２５を介して受信した場合に、当該無線情報発信機器４０から受信した識別情報と、配達管理サーバ１０から通知された識別情報と、を比較する。
制御部２１は、無線情報発信機器４０から受信した識別情報と、配達管理サーバ１０から通知された識別情報と、が一致した場合に、受取所３０に受け取り可能な物品があることを表示部２３に表示させる。
【００４１】
また、制御部２１は、無線情報発信機器４０から受信した識別情報と、配達管理サーバ１０から通知された識別情報と、が一致した場合に、受取所３０へ配達された物品を示す情報を表示部２３に表示させる。
【００４２】
また、制御部２１は、無線情報発信機器４０から受信した識別情報と、配達管理サーバ１０から通知された識別情報と、が一致した場合に、受取所３０へ物品の配達が完了してからの経過日数を表示部２３に表示させる。具体的には、制御部２１は、通知内容管理テーブルＴ２１の該当する配達依頼に関するレコードから「配達完了日時」を取得し、計時部２６から現在日時を取得し、配達完了日時及び現在日時に基づいて、受取所３０へ物品の配達が完了してからの経過日数を算出する。
【００４３】
また、制御部２１は、無線情報発信機器４０から受信した識別情報と、配達管理サーバ１０から通知された識別情報と、が一致した場合に、受取所３０の設置位置を示す情報を表示部２３に表示させる。例えば、制御部２１は、通知内容管理テーブルＴ２１の該当する配達依頼に関するレコードから受取所３０の「位置情報」を取得し、位置情報に基づいて、受取所３０の周辺地図を表示させるとともに、地図中で受取所３０の位置を指し示す。
【００４４】
また、制御部２１は、無線情報発信機器４０から受信した識別情報と、配達管理サーバ１０から通知された識別情報と、が一致した場合であっても、無線情報発信機器４０から受信した識別情報と、通知抑制識別情報と、が一致した場合には、受取所３０に受け取り可能な物品があることの表示部２３への表示を抑制し、通知抑制識別情報と一致する識別情報の受信が終了した後に、受取所３０に受け取り可能な物品があることを表示部２３に表示させる。
【００４５】
〔物品配達管理システムにおける動作の概要〕
次に、図１を参照して、物品配達管理システム１００における動作の概要について説明する。
【００４６】
（Ａ．配達依頼）
まず、利用者が携帯する移動通信端末２０において、利用者は、通信販売による商品の注文等、受取所３０への物品の配達依頼を行う。具体的には、移動通信端末２０は、通信ネットワークＮを介して配達管理サーバ１０にアクセスし、操作部２２から入力された依頼者、通知先の移動通信端末２０、物品、受取所３０を示す情報を、通信部２５を介して配達管理サーバ１０に送信する。
配達管理サーバ１０では、移動通信端末２０から受信した依頼者、通知先の移動通信端末２０、物品、受取所３０を示す情報が対応付けられて、配達管理テーブルＴ１２の新たなレコードとして登録される。
なお、移動通信端末２０以外の装置から配達依頼が行われることとしてもよい。
【００４７】
（Ｂ．配達指示）
次に、配達管理サーバ１０では、配達依頼に基づいて、配達員５０に対して、依頼者が指定した受取所３０への、指定した物品の配達が指示される。
【００４８】
（Ｃ．配達）
次に、配達員５０は、指定された受取所３０へ配達の対象となる物品を配達する。具体的には、受取所３０に設置されているいずれかのロッカーに、配達の対象となる物品を収納する。
【００４９】
（Ｄ．配達完了通知）
次に、配達員５０は、受取所３０への物品の配達が完了したことを、物品が収納されたロッカーの番号、配達完了日時を示す情報とともに、配達管理サーバ１０に通知する。例えば、配達員５０が所持する通信端末、又は、受取所３０に設けられた通信機器から、該当する配達依頼に関する配達が完了したことを配達管理サーバ１０に送信する。あるいは、配達員５０が配達管理サーバ１０の管理者に、該当する配達依頼に関する配達が完了したことを連絡し、配達管理サーバ１０の管理者が操作部１２から、該当する配達依頼に関する配達が完了したことを入力してもよい。
配達管理サーバ１０では、配達管理テーブルＴ１２において、該当する配達依頼に関するレコードに対して、ロッカー番号、配達完了日時を示す情報が追加される。
【００５０】
（Ｅ．識別情報通知）
次に、配達管理サーバ１０は、受取所３０への物品の配達完了が通知された場合に、当該受取所３０に関連付けられた一又は複数の無線情報発信機器４０の識別情報を受取所情報テーブルＴ１１から取得し、取得された無線情報発信機器４０の識別情報を、通信部１５を介して移動通信端末２０に通知する。この際、配達管理サーバ１０は、該当する配達依頼に関する物品、受取所、ロッカー番号、配達完了日時を示す情報を配達管理テーブルＴ１２から取得し、無線情報発信機器４０の識別情報と対応付けて、移動通信端末２０に通知する。また、配達管理サーバ１０は、物品が配達された受取所３０の位置情報を受取所情報テーブルＴ１１から取得し、取得された受取所３０の位置情報を移動通信端末２０に通知する。
移動通信端末２０では、配達管理サーバ１０から受信した無線情報発信機器４０の識別情報、物品、受取所、位置情報、ロッカー番号、配達完了日時が対応付けられて、通知内容管理テーブルＴ２１の新たなレコードとして登録される。
【００５１】
（Ｆ．識別情報発信）
無線情報発信機器４０のそれぞれは、常時、当該無線情報発信機器４０に固有の識別情報を無線発信している。
【００５２】
（Ｇ．受け取りを促す表示）
移動通信端末２０を携帯する利用者が、列車で移動する際等に、受取所３０又はその近傍に設置された無線情報発信機器４０の近くを通過すると、移動通信端末２０は、無線情報発信機器４０から発信された識別情報を受信する。
移動通信端末２０は、無線情報発信機器４０から受信した識別情報と、配達管理サーバ１０から通知された識別情報と、を比較し、両者が一致した場合に、受取所３０に受け取り可能な物品があることを表示部２３に表示させる。
【００５３】
〔配達管理サーバの動作〕
図５は、配達管理サーバ１０により実行される処理を示すフローチャートである。本処理は、移動通信端末２０から配達依頼を受け付ける場合の例である。
【００５４】
まず、制御部１１は、通信部１５を介して移動通信端末２０から配達依頼を受信したか否かを判断する（ステップＳ１）。配達依頼を受信しないと判断した場合には（ステップＳ１；ＮＯ）、ステップＳ１に戻る。
【００５５】
ステップＳ１において、配達依頼を受信したと判断した場合には（ステップＳ１；ＹＥＳ）、制御部１１は、配達依頼に含まれる「依頼者」、「通知先の移動通信端末」、「物品」、「受取所」を示す情報を対応付けて記憶部１４に記憶させる（ステップＳ２）。具体的には、制御部１１は、記憶部１４の配達管理テーブルＴ１２に新たなレコードを追加し、移動通信端末２０において入力された「依頼者」、「通知先の移動通信端末」、「物品」、「受取所」を示す情報を対応付けて登録する。
【００５６】
次に、配達管理サーバ１０では、配達依頼に基づいて、配達員５０に配達を指示する（ステップＳ３）。例えば、配送センター等に物品及び受取所３０を指定して、配達を指示する。
【００５７】
次に、制御部１１は、通信部１５を介して配達員５０が所持する通信端末等から配達完了通知を受信したか否かを判断する（ステップＳ４）。配達完了通知を受信しないと判断した場合には（ステップＳ４；ＮＯ）、ステップＳ４に戻る。
【００５８】
ステップＳ４において、配達完了通知を受信したと判断した場合には（ステップＳ４；ＹＥＳ）、制御部１１は、配達完了通知に含まれる「ロッカー番号」、「配達完了日時」を示す情報を、配達依頼と対応付けて記憶部１４に記憶させる（ステップＳ５）。具体的には、制御部１１は、記憶部１４の配達管理テーブルＴ１２において、該当する配達依頼に関するレコードに対して、「ロッカー番号」、「配達完了日時」を示す情報を対応付けて格納する。
【００５９】
次に、制御部１１は、記憶部１４の配達管理テーブルＴ１２において、該当する配達依頼に関するレコードに含まれる「受取所」と「通知先の移動通信端末」を取得する。そして、制御部１１は、取得された「受取所」に関連付けられた一又は複数の「無線情報発信機器の識別情報」を記憶部１４の受取所情報テーブルＴ１１から取得し、取得された「無線情報発信機器の識別情報」を、通信部１５を介して「通知先の移動通信端末」が示す移動通信端末２０に通知する（ステップＳ６）。また、制御部１１は、配達管理テーブルＴ１２において、該当する配達依頼に関するレコードに含まれる「物品」、「受取所」、「ロッカー番号」、「配達完了日時」についても、「無線情報発信機器の識別情報」と対応付けて、通信部１５を介して移動通信端末２０に通知する。また、制御部１１は、「受取所」に対応する「位置情報」を記憶部１４の受取所情報テーブルＴ１１から取得し、この「位置情報」を、通信部１５を介して移動通信端末２０に通知する。
以上で、配達管理サーバ１０における処理が終了する。
【００６０】
〔移動通信端末の動作〕
図６及び図７は、移動通信端末２０により実行される処理を示すフローチャートである。本処理は、移動通信端末２０から配達管理サーバ１０に配達依頼を行う場合の例である。
【００６１】
移動通信端末２０において、利用者が、操作部２２から配達依頼に係る「依頼者」、「通知先の移動通信端末」、「物品」、「受取所」を入力すると（ステップＳ１１）、制御部２１は、入力された情報を含む配達依頼を、通信部２５を介して配達管理サーバ１０に送信する（ステップＳ１２）。
【００６２】
次に、制御部２１は、通信部２５を介して配達管理サーバ１０から「受取所」に関連付けられた「無線情報発信機器の識別情報」を受信したか否かを判断する（ステップＳ１３）。「受取所」に関連付けられた「無線情報発信機器の識別情報」を受信しないと判断した場合には（ステップＳ１３；ＮＯ）、ステップＳ１３に戻る。
【００６３】
ステップＳ１３において、「受取所」に関連付けられた「無線情報発信機器の識別情報」を受信したと判断した場合には（ステップＳ１３；ＹＥＳ）、制御部２１は、受信した識別情報を記憶部２４に記憶させる（ステップＳ１４）。具体的には、制御部２１は、「無線情報発信機器の識別情報」とともに、「物品」、「受取所」、「位置情報」、「ロッカー番号」、「配達完了日時」を、通信部２５を介して配達管理サーバ１０から受信する。そして、制御部２１は、記憶部２４の通知内容管理テーブルＴ２１に新たなレコードを追加し、配達管理サーバ１０から受信した「物品」、「受取所」、「位置情報」、「ロッカー番号」、「配達完了日時」、「無線情報発信機器の識別情報」を対応付けて登録する。
【００６４】
次に、図７に移り、制御部２１は、通信部２５を介していずれかの無線情報発信機器４０から無線発信された識別情報を受信したか否かを判断する（ステップＳ１５）。いずれかの無線情報発信機器４０から識別情報を受信したと判断した場合には（ステップＳ１５；ＹＥＳ）、制御部２１は、無線情報発信機器４０から受信した識別情報と、配達管理サーバ１０から通知された識別情報のいずれかと、が一致するか否かを判断する（ステップＳ１６）。具体的には、制御部２１は、無線情報発信機器４０から受信した識別情報と、記憶部２４の通知内容管理テーブルＴ２１の「無線情報発信機器の識別情報」フィールドに格納されている識別情報のそれぞれと、を比較する。
【００６５】
ステップＳ１５において、いずれの無線情報発信機器４０からも識別情報を受信しないと判断した場合（ステップＳ１５；ＮＯ）、又は、ステップＳ１６において、無線情報発信機器４０から受信した識別情報が、配達管理サーバ１０から通知された識別情報のいずれとも一致しないと判断した場合には（ステップＳ１６；ＮＯ）、ステップＳ１５に戻る。
【００６６】
ステップＳ１６において、無線情報発信機器４０から受信した識別情報と、配達管理サーバ１０から通知された識別情報のいずれかと、が一致したと判断した場合には（ステップＳ１６；ＹＥＳ）、制御部２１は、無線情報発信機器４０から受信した識別情報と、記憶部２４に記憶されている通知抑制識別情報リストに含まれる通知抑制識別情報のいずれかと、が一致するか否かを判断する（ステップＳ１７）。
【００６７】
無線情報発信機器４０から受信した識別情報と、通知抑制識別情報リストに含まれる通知抑制識別情報のいずれかと、が一致したと判断した場合には（ステップＳ１７；ＹＥＳ）、制御部２１は、受取所３０に受け取り可能な物品があること等の通知の表示部２３への表示を抑制する（ステップＳ１８）。つまり、この段階では、まだ受け取りを促す通知を行わない。
【００６８】
次に、制御部２１は、通知抑制識別情報と一致する識別情報の受信が終了したか否かを判断する（ステップＳ１９）。この判断は、移動通信端末２０の利用者が、通知抑制識別情報に対応する無線情報発信機器４０から所定の距離だけ離れたか否かの判断に相当する。通知抑制識別情報と一致する識別情報の受信が継続していると判断した場合には（ステップＳ１９；ＮＯ）、ステップＳ１９に戻る。
【００６９】
ステップＳ１９において、通知抑制識別情報と一致する識別情報の受信が終了したと判断した場合（ステップＳ１９；ＹＥＳ）、又は、ステップＳ１７において、無線情報発信機器４０から受信した識別情報が、通知抑制識別情報リストに含まれる通知抑制識別情報のいずれとも一致しないと判断した場合には（ステップＳ１７；ＮＯ）、制御部２１は、受取所３０に受け取り可能な物品があることを表示部２３に表示させる（ステップＳ２０）。
【００７０】
また、制御部２１は、受け取り可能な物品があることに加え、受取所３０へ配達された物品を示す情報、受取所３０へ物品の配達が完了してからの経過日数、受取所３０の設置位置を示す情報を表示部２３に表示させる。具体的には、制御部２１は、記憶部２４の通知内容管理テーブルＴ２１から、無線情報発信機器４０から受信した識別情報と一致した識別情報が含まれるレコードに対応する「物品」、「配達完了日時」、「位置情報」等を取得し、これらの情報に基づいて、各種表示を行う。また、制御部２１は、表示部２３への表示とともに、通知音や振動により、利用者に注意を促すこととしてもよい。
以上で、移動通信端末２０における処理が終了する。
【００７１】
図８に、移動通信端末２０の表示部２３に表示される通知画面２３１の例を示す。
通知画面２３１には、受け取り可能な物品があることを示すメッセージ６１、受取所３０へ配達された物品を示す情報６２、受取所３０へ物品の配達が完了してからの経過日数を示す情報６３、受取所３０の設置位置を示す地図６４等が含まれる。さらに、制御部２１は、移動通信端末２０が有する現在位置情報取得手段により取得された現在位置情報に基づいて、現在位置を示すマークを地図６４上に表示させたり、受取所３０までの道順を表示させたりしてもよい。
【００７２】
利用者は、移動通信端末２０において、受け取り可能な物品がある旨の通知を受けた後、受取所３０に立ち寄り、通知されたロッカー番号のロッカーから物品を受け取る。例えば、利用者は、予め設定されているパスワードを入力して、ロッカーを開錠する。
【００７３】
なお、利用者が受取所３０で物品を受け取った後、移動通信端末２０では、記憶部２４の通知内容管理テーブルＴ２１において、該当する配達依頼に関するレコードを削除するか、受け取り済みであるという情報を付加して、物品の受け取りを促す対象から除外する。
【００７４】
以上説明したように、本実施形態における物品配達管理システム１００によれば、受取所３０への物品の配達完了に応じて、配達管理サーバ１０から移動通信端末２０に受取所３０に関連付けられた無線情報発信機器４０の識別情報を通知しておき、移動通信端末２０は、無線情報発信機器４０から受信した識別情報と、配達管理サーバ１０から通知された識別情報と、が一致した場合に、受取所３０に受け取り可能な物品があることを表示部２３に表示させる。つまり、移動通信端末２０を携帯する利用者が、受取所３０又は受取所３０に関連付けられた無線情報発信機器４０に近付いたタイミングで、受取所３０に受け取り可能な物品があることを移動通信端末２０の表示部２３に表示させるので、受取所３０に配達された物品の利用者による受け取り忘れを防止することができる。
【００７５】
受取所３０に対して、受取所３０が存在する駅や隣接駅等に設置された無線情報発信機器４０を予め関連付けておき、利用者が日常的に利用する駅で物品を受け取るように受取所３０を指定することで、無線情報発信機器４０が設置された駅を通過する際に、受取所３０に受け取り可能な物品があること（配達済みであること）を通知することができる。これにより、利用者に受け取り可能な物品があることを思い出させることができ、受け取り忘れを防止することができる。
利用者が列車に乗車している際には、受取所３０が存在する駅等、目的の駅に到着する直前に移動通信端末２０を鞄にしまってしまう場合が多く、受取所３０が存在する駅で通知してもマナーモード等で気が付かないおそれがある。これに対し、受取所３０が存在する駅の隣接駅を通過するタイミングで通知することができれば、利用者も通知に気が付きやすい。
【００７６】
また、受取所３０へ配達された物品を示す情報を移動通信端末２０の表示部２３に表示させるので、同一利用者の配達依頼が複数ある場合であっても、利用者は受取所３０へ配達されている物品を容易に把握することができる。
【００７７】
また、受取所３０へ物品の配達が完了してからの経過日数を移動通信端末２０の表示部２３に表示させるので、利用者に物品の受け取りを促すことができる。
【００７８】
また、受取所３０の設置位置を示す情報を移動通信端末２０の表示部２３に表示させるので、受取所３０を容易に見つけ出すことができる。
【００７９】
また、通知抑制識別情報を予め定めておくことで、移動通信端末２０を携帯する利用者が、通知抑制識別情報に対応する無線情報発信機器４０に近い状態では、移動通信端末２０の表示部２３への表示を抑制するので、利用者に情報を提供可能なエリアを制限することができる。具体的には、駅のプラットホームに設置された無線情報発信機器４０に対応する識別情報を通知抑制識別情報として定めておくことで、利用者の列車接触事故や線路への落下事故が発生するリスクを低減させることができる。
実際の運用としては、例えば、受取所３０が存在する駅と隣接駅のプラットホームにそれぞれ設置された無線情報発信機器４０の識別情報が受取所３０に関連付けられているとともに、通知抑制識別情報として定められている場合が想定される。この場合、利用者が乗車している列車が隣接駅に到着し、その列車が隣接駅から一定距離だけ離れたタイミングで通知が行われる。また、受取所３０が存在する駅においても、利用者がプラットホームからコンコース等に移動したタイミングで通知が行われる。いずれにしても、利用者がプラットホームから離れた状況で通知が行われるため、利用者がプラットホーム付近で移動通信端末２０を操作しながら歩行する等の危険行為を回避することができる。
【００８０】
なお、上記実施形態における記述は、本発明に係る物品配達管理システムの例であり、これに限定されるものではない。システムを構成する各装置の細部構成及び細部動作に関しても本発明の趣旨を逸脱することのない範囲で適宜変更可能である。
【００８１】
例えば、利用者が指定された受取所３０の付近にいることを検知するために、利用者の位置を把握する他の手段を用いることとしてもよい。具体的には、列車内に設置されたビーコンが発する信号を移動通信端末２０で受信することで、乗車中の列車を特定し、列車の移動に応じて、列車が受取所３０に近付いた場合に、受取所３０に受け取り可能な物品があることを通知することとしてもよい。
【００８２】
また、上記実施形態では、受取所３０で物品がロッカーに収納される場合について説明したが、手荷物預かり所に物品が預けられることとしてもよい。この場合、利用者は、手荷物預かり所の係員から物品を受け取る。
【００８３】
また、予め保管期間を定め、期限までの残り日数を利用者に通知するようにしてもよい。これにより、利用者の危機感を煽り、物品の受け取りを促すことができる。
【００８４】
また、上記実施形態では、配達管理サーバ１０から各移動通信端末２０に通知抑制識別情報リストが予め送信されている場合について説明したが、各移動通信端末２０が配達管理サーバ１０から通知抑制識別情報リストを受信するタイミングについては、特に限定されず、移動通信端末２０により実行される処理（図６及び図７参照）のステップＳ１５より前に受信されていればよい。
また、物品配達管理システム１００に含まれる無線情報発信機器４０の識別情報のうち予め定められた通知抑制識別情報の全てが、各移動通信端末２０の記憶部２４に記憶されていなくてもよい。例えば、配達管理サーバ１０から利用者の移動通信端末２０に、今回利用者が物品を受け取る受取所３０に関連付けられた無線情報発信機器４０の識別情報を通知する際に、当該受取所３０に関連付けられた無線情報発信機器４０の識別情報の一部又は全部を、通知抑制識別情報として通知することとしてもよい。
【符号の説明】
【００８５】
１０  配達管理サーバ
１１  制御部
１４  記憶部
１５  通信部
２０  移動通信端末
２１  制御部
２２  操作部
２３  表示部
２４  記憶部
２５  通信部
３０  受取所
４０  無線情報発信機器
１００  物品配達管理システム
Ｔ１１  受取所情報テーブル
Ｔ１２  配達管理テーブル
Ｔ２１  通知内容管理テーブル
【図１】
2018025896.tif 000003
【図２】
2018025896.tif 000004
【図３】
2018025896.tif 000005
【図４】
2018025896.tif 000006
【図５】
2018025896.tif 000007
【図６】
2018025896.tif 000008
【図７】
2018025896.tif 000009
【図８】
2018025896.tif 000010